(57)【要約】【課題】  ガーデニングキットで、各種形状及び各種サイズの植木鉢や、各種形状及び各種サイズの花壇を提供する。【解決手段】  ガーデニングキットは、底板部材１０と側板部材２０と各種側板連結部材３０，３５，４０と底板連結部材５０と歩道形成板６０とを備えている。底板部材１０の各側板取付穴１６に複数の側板部材２０の取付突出部２６を嵌め込み、複数の側板部材２０，２０相互は、第１側板連結部材３０で連結することで、植木鉢を構成する。複数の底板部材１０，１０相互は、底板連結部材５０で連結できるので、複数の植木鉢を二次元的に自由に連結することができる。【選択図】  図１
2005137313.tif 000002
【特許請求の範囲】
【請求項１】
植木鉢を作ることが可能なガーデニングキットにおいて、
前記植木鉢の底面を形成する底板部材を備え、
前記底板部材は、前記植木鉢の側面を形成する側板部材を取り付けることが可能な側板取付部と、該底板部材相互を隣接させた状態で連結するための底板連結部材を取り付けることが可能な連結部材取付部とが形成されている、
ことを特徴とするガーデニングキット。
【請求項２】
請求項１に記載のガーデニングキットにおいて、
前記底板部材の前記側板取付部は、前記連結部材取付部を兼ねている、
ことを特徴とするガーデニングキット。
【請求項３】
請求項２に記載のガーデニングキットにおいて、
前記底板部材は、互いに対向している上板及び下板と、該上板と該下板とを連結する支柱と、を有し、該支柱には、該上板を貫通して該下板に向って伸びる側板取付穴が形成され、
前記支柱は、前記連結部材取付部を兼ねる前記側板取付部を形成し、該支柱の前記側板取付穴は、前記側板部材の一部が取り付けられる部分を成し、該支柱の外周は、前記底板連結部材としての第１底板連結部材が取り付けられる部分を成す、
ことを特徴とするガーデニングキット。
【請求項４】
請求項３に記載のガーデニングキットにおいて、
前記第１底板連結部材を備え、
前記第１底板連結部材は、隣接している２つの前記底板部材のうちの一方の底板部材の支柱の外周に係合する第１係合部と、他方の底板部材の支柱の外周に係合する第２係合部とを有する、
ことを特徴とするガーデニングキット。
【請求項５】
請求項３及び４のいずれか一項に記載のガーデニングキットにおいて、
前記底板連結部材としての第２底板連結部材を備え、
前記第２底板連結部材は、隣接している２つの前記底板部材のうちの一方の底板部材の側板取付穴に嵌まり込む第１突出部と、他方の底板部材の側板取付穴に嵌まり込む第２突出部とを有する、
ことを特徴とするガーデニングキット。
【請求項６】
請求項３から５のいずれか一項に記載のガーデニングキットにおいて、
１以上の前記側板部材を備え、
前記側板部材は、前記底板部材の前記側板取付穴に嵌まり込む取付突出部を有する、
ことを特徴とするガーデニングキット。
【請求項７】
請求項６に記載のガーデニングキットにおいて、
前記側板部材は、前記取付突出部が形成されている側とは反対側の端部に、側板連結穴が形成され、
その側辺相互が接触し合っている２つの前記側板部材のうちの一方の側板部材の前記側板連結穴に入り込む第１突出部と、他方の側板部材の前記側板連結穴に入り込む第２突出部とを有する側板連結部材を備えている、
ことを特徴とするガーデニングキット。
【請求項８】
請求項１から５のいずれか一項に記載のガーデニングキットにおいて、
１以上の前記側板部材を備え、
前記側板部材は、前記植木鉢の内側面を形成する内面と、該内面から凹んだ又は突出した１以上の上底支持部とを有する、
ことを特徴とするガーデニングキット。
【請求項９】
請求項８に記載のガーデニングキットにおいて、
前記側板部材の前記上底支持部に係合する側板取付部を有する上底板部材を備えている、
ことを特徴とするガーデニングキット。
【請求項１０】
請求項３から７のいずれか一項に記載のガーデニングキットにおいて、
前記底板部材の前記上面に載せられる歩道形成板と、
前記底板部材の前記側板取付穴に嵌まり込む取付突出部を有し、歩道形成板に固定される歩道形成板取付部材と、
を備えていることを特徴とするガーデニングキット。
【請求項１１】
請求項３から７、及び１０のいずれか一項に記載のガーデニングキットにおいて、
前記底板部材は、該底板部材の前記上板を貫通し、外部に通じる水抜き孔が形成されている、
ことを特徴とするガーデニングキット。
【請求項１２】
請求項１から１１のいずれか一項に記載のガーデニングキットにおいて、
前記底板部材は、前記植木鉢の底面に対応する前記上板の形状が、正三角形、正方形、長方形、正六角形のいずれかの形状である、
ことを特徴とするガーデニングキット。
【請求項１３】
植木鉢を作ることが可能なガーデニングキットにおいて、
前記植木鉢の側面を形成する複数の側板部材と、
前記側板部材とは独立した部材であって、前記植木鉢の底を形成する上底部材と、
を備え、
複数の前記側板部材は、それぞれ、前記植木鉢の内側面を形成する内面と、該内面から凹んだ又は突出した複数の上底支持部と、側板部材相互を連結する側板連結部材に係合する係合部とを有し、
複数の前記上底支持部は、前記側板部材の上下方向に並んでいる、
ことを特徴とするガーデニングキット。
【発明の詳細な説明】
【技術分野】
【０００１】
本発明は、ベランダや屋上等に、そのスペースに併せた花壇を造ることがガーデニングキットに関する。
【背景技術】
【０００２】
従来のガーデニングキットとしては、以下に示す特許文献１，２に記載されたものがある。
【０００３】
特許文献１及び特許文献２に記載のガーデニングキットは、いずれも、コーナブロックと、側面ブロックと、中間ブロックと、連結部材とを備えているものである。コーナブロックは、底板と、互いに隣接する一対の側板とが一体的に形成されたもので、側面ブロックは、底板と、１つの側板とが一体に形成されたもので、中間ブロックは、底板と、底板の各片に設けられた高さの低い低側板とが一体的に形成されたものである。各ブロックは、連結部材により連結されて、矩形状の花壇が造られる。
【０００４】
【特許文献１】特開平5-308852号公報      図１
【０００５】
【特許文献２】実開平5-67242号公報       図１
【発明の開示】
【発明が解決しようとする課題】
【０００６】
しかしながら、特許文献１，２に記載されている技術では、複数のブロックを組み合わせることで、複数の植木鉢が連結した花壇を造ることができるものの、植木鉢の大きさや形状が同じである上に、この植木鉢を連結した花壇の形状が矩形状にしかできず、個人の趣味にあった花壇を造ることができない場合が多いという課題がある。
【０００７】
本発明は、このような従来の課題に着目し、各種形状の植木鉢、各種形状の花壇を造ることができるガーデニングキットを提供することを目的とする。
【課題を解決するための手段】
【０００８】
前記問題点を解決するための第一の発明に係るガーデニングキットは、
植木鉢の底面を形成する底板部材を備え、
前記底板部材は、前記植木鉢の側面を形成する側板部材を取り付けることが可能な側板取付部と、該底板部材相互を隣接させた状態で連結するための底板連結部材を取り付けることが可能な連結部材取付部とが形成されていることを特徴とするものである。
【０００９】
前記課題を解決するための第二の発明に係るガーデニングキットは、
前記第一の発明に係るガーデニングキットにおいて、
前記底板部材の前記側板取付部は、前記連結部材取付部を兼ねていることを特徴とするものである。
【００１０】
前記問題点を解決するための第三の発明に係るガーデニングキットは、
前記第二の発明に係るガーデニングキットにおいて、
前記底板部材は、互いに対向している上板及び下板と、該上板と該下板とを連結する支柱と、を有し、該支柱には、該上板を貫通して該下板に向って伸びる側板取付穴が形成され、
前記支柱は、前記連結部材取付部を兼ねる前記側板取付部を形成し、該支柱の前記側板取付穴は、前記側板部材の一部が取り付けられる部分を成し、該支柱の外周は、前記底板連結部材としての第１底板連結部材が取り付けられる部分を成すことを特徴とするものである。
【００１１】
前記問題点を解決するための第四の発明に係るガーデニングキットは、
前記第三の発明に係るガーデニングキットにおいて、
前記第１底板連結部材を備え、
前記第１底板連結部材は、隣接している２つの前記底板部材のうちの一方の底板部材の支柱の外周に係合する第１係合部と、他方の底板部材の支柱の外周に係合する第２係合部とを有することを特徴とするものである。
【００１２】
前記問題点を解決するための第五の発明に係るガーデニングキットは、
前記第三及び第四のいずれかの発明に係るガーデニングキットにおいて、
前記底板連結部材としての第２底板連結部材を備え、
前記第２底板連結部材は、隣接している２つの前記底板部材のうちの一方の底板部材の側板取付穴に嵌まり込む第１突出部と、他方の底板部材の側板取付穴に嵌まり込む第２突出部とを有することを特徴とするものである。
【００１３】
前記問題点を解決するための第六の発明に係るガーデニングキットは、
前記第三から第五のいずれかの発明に係るガーデニングキットにおいて、
１以上の前記側板部材を備え、
前記側板部材は、前記底板部材の前記側板取付穴に嵌まり込む取付突出部を有することを特徴とするものである。
【００１４】
前記問題点を解決するための第七の発明に係るガーデニングキットは、
前記第六の発明に係るガーデニングキットにおいて、
前記側板部材は、前記取付突出部が形成されている側とは反対側の端部に、側板連結穴が形成され、
その側辺相互が接触し合っている２つの前記側板部材のうちの一方の側板部材の前記側板連結穴に入り込む第１突出部と、他方の側板部材の前記側板連結穴に入り込む第２突出部とを有する側板連結部材を備えていることを特徴とするものである。
【００１５】
前記問題点を解決するための第八の発明に係るガーデニングキットは、
前記第一から第五のいずれかの発明に係るガーデニングキットにおいて、
１以上の前記側板部材を備え、
前記側板部材は、前記植木鉢の内側面を形成する内面と、該内面から凹んだ又は突出した１以上の上底支持部とを有することを特徴とするものである。
【００１６】
前記問題点を解決するための第九の発明に係るガーデニングキットは、
前記第八の発明に係るガーデニングキットにおいて、
前記側板部材の前記上底支持部に係合する側板取付部を有する上底板部材を備えていることを特徴とするものである。
【００１７】
前記問題点を解決するための第十の発明に係るガーデニングキットは、
前記第三から第七のいずれかの発明に係るガーデニングキットにおいて、
前記底板部材の前記上面に載せられる歩道形成板と、
前記底板部材の前記側板取付穴に嵌まり込む取付突出部を有し、歩道形成板に固定される歩道形成板取付部材と、
を備えていることを特徴とするものである。
【００１８】
前記問題点を解決するための第十一の発明に係るガーデニングキットは、
前記第三から第七、及び第十のいずれかの発明に係るガーデニングキットにおいて、
前記底板部材は、該底板部材の前記上板を貫通し、外部に通じる水抜き孔が形成されていることを特徴とするものである。
【００１９】
前記問題点を解決するための第十二の発明に係るガーデニングキットは、
前記第一から第十一のいずれかの発明に係るガーデニングキットにおいて、
前記底板部材は、前記植木鉢の底面に対応する前記上板の形状が、正三角形、正方形、長方形、正六角形のいずれかの形状であることを特徴とするものである。
【００２０】
前記問題点を解決するための第十三の発明に係るガーデニングキットは、
植木鉢の側面を形成する複数の側板部材と、
前記側板部材とは独立した部材であって、前記植木鉢の底を形成する上底部材と、
を備え、
複数の前記側板部材は、それぞれ、前記植木鉢の内側面を形成する内面と、該内面から凹んだ又は突出した複数の上底支持部と、側板部材相互を連結する側板連結部材に係合する係合部とを有し、
複数の前記上底支持部は、前記側板部材の上下方向に並んでいることを特徴とするものである。
【００２１】
前記問題点を解決するための第十四の発明に係るガーデニングキットは、
前記第十三の発明に係るガーデニングキットにおいて、
形成する植木鉢の底の形状が、正三角形、正方形、長方形、正六角形のいずれかの形状であることを特徴とするものである。
【発明の効果】
【００２２】
本発明によれば、底板部材又は上底部材と側板部材とは、独立していおり、しかも、底板部材相互又は側板相互が連結可能であるため、これらの組み合わせ方により、各種形状及び各種サイズの植木鉢、さらには各種形状及び各種サイズの花壇を造ることができる。
【発明を実施するための最良の形態】
【００２３】
以下、本発明に係るガーデニングキットの各種実施形態について、図面を用いて説明する。
【００２４】
まず、図１〜図１５を用いて、本発明に係るガーデニングキットの第一の実施形態について説明する。
【００２５】
本実施形態のガーデニングキットは、図１に示すように、植木鉢や歩道を造るもので、植木鉢の底を形成する底板部材１０と、植木鉢の側面を形成する側板部材２０と、各種側板連結部材３０，３５，４０と、各種底板連結部材５０，５５と、底板部材１０の上に置いて歩道を形成するための歩道形成板６０と、この歩道形成板６０を底板部材１０に取り付ける歩道形成板取付具６１と、を備えている。
【００２６】
底板部材１０は、図３に示すように、正六角形状の上板１１及び下板１３と、上板１１と下板１３とを連結するための円筒支柱１４及び矩形支柱１５と、を有して構成されている。正六角形状の上板１１の中央近傍には、その表面ら裏面へ貫通する複数の水抜き孔１２，１２，…が形成されている。また、正六角形状の上板１１の各辺近傍には、各辺に平行な方向に伸び、且つ表面から裏面へ貫通する貫通孔（１６）が形成されている。矩形支柱１５は、上板１１の貫通孔（１６）の開口と同じサイズの開口を有する貫通孔が形成されている。上板１１と下板とは、互いに平行で、正六角形状の上板１１及び下板１３の中央で円筒支柱１４により連結され、正六角形状の上板１１及び下板１３の各辺に沿った位置で矩形支柱１５により連結されている。矩形支柱１５の貫通孔の開口は、上板１１の貫通孔の開口と一致しており、両貫通孔を併せて側板取付孔１６を形成する。
【００２７】
側板部材２０は、図４に示すように、矩形状の側板本体２１と、底板部材１０の側板取付孔１６に嵌まり込む取付突出部２６とを有している。側板本体２１の一方の面２２は、植木鉢の外面を形成し、他方の面２３は植木鉢の内面を形成する。矩形状の外面２２の短辺の長さは、正六角形状の底板部材１０の一辺の長さと一致している。また、側板本体２１の内面２３に対する側面２４の角度は、正六角形の内角の角度である１２０°になっている。側板本体２１の下面には、前述した取付突出部２６が設けられ、側板本体２１の上面には、下面側へ切り込まれた側板連結穴２５，２５が形成されている。この側板連結穴２５，２５は、側板本体２１の上面であって、その左右に各々形成されている。
【００２８】
側板連結部材３０，３５，４０は、３種類存在し、図６に示すように、互いに隣接する側板部材２０，２０相互であって、1つの植木鉢における隣り合った２枚の側板部材２０，２０を連結するための第１側板連結部材３１と、図５に示すように、隣り合う２つの植木鉢のそれぞれの側面を形成する２枚の側板部材を２０，２０連結するための第２及び第３側板連結部材３５，４０とがある。
【００２９】
第１側板連結部材３０（図６）は、２枚の側板部材２０，２０の各側板連結穴２５，２５に各々嵌まり込む第１及び第２突出片部３１，３２と、第１突出片部３１と第２突出片部３２とをつなぐアーム部３３と、各突出片部３１，３２の先端に形成されているフランジ部３４，３４とを有している。アーム部３３は、その長手方向の中央で折れ曲っており、その折れ曲り角度は正六角形の内角の角度である１２０°である。第２側板連結部材３５（図５）も、第1側板連結部材３０と同様に、２枚の側板部材２０，２０の各側板連結穴２５，２５に各々嵌まり込む第１及び第２突出片部３６，３７と、第１突出片部３６と第２突出片部３７とをつなぐアーム部３８と、各突出片部３６，３７の先端に形成されているフランジ部３９とを有している。但し、第２側板連結部材３５のアーム部３８の折れ曲り角度は、第１側板連結部材３０と異なり、正六角形の外角の角度である２４０°である。第３側板連結部材（図５）４０は、２枚の側板部材２０，２０の各側板連結穴２５，２５に各々嵌まり込む第１及び第２突出片部４１，４２と、各突出片部４１，４２の先端に形成されているフランジ部４４，４４とを有している。この第３側板連結部材４０は、第１及び第２側板連結部材３０，３５と異なり、アーム部を有せず、第１突出片部４１と第２突出片部４２とが直線的に直接つながっている。
【００３０】
底板連結部材５０，５５は、２種類存在し、図９に示すように、２つの底板部材１０，１０の各矩形支柱１５，１５に係合して、２つの底板部材１０，１０を連結する第１底板連結部材５０と、図１０に示すように、２つの底板部材１０，１０の各側板連結穴１６，１６に嵌まり込んで、２つの底板部材１０，１０を連結する第２底板連結部材５５とがある。第１底板連結部材５０（図９）は、断面がほぼＨ型を成しており、底板部材１０の矩形支柱１５の横幅と実質的に同じ長さの本体５１と、この本体５１の両端に形成された第１及び第２アーム部５２，５３と、各アーム部５２，５３の先端に形成されたリップ部５４，５４，…と、を有している。すなわち、本体５１はＨの中棒に相当し、第１及び第２アーム部５２，５３はＨの中棒の両端から上下に伸びる腕に相当する。この第１底板連結部材５０は、底板部材１０の矩形支柱１５の一の面１５ａと本体５１とが接し、矩形支柱１５の一の面１５ａに隣接した矩形支柱１５の側面１５ｂと各アーム部５２，５３とが接し、矩形支柱１５の一の面１５ａに対向している矩形支柱１５の面１５ｃにリップ部５４が接することで、矩形支柱１５に連結することになる。本実施形態では、Ｈの中棒を基準として上半分に相当する部分が第１係合部を成し、この第１係合部が一方の底板部材１０の矩形支柱１５に係合し、Ｈの中棒を基準として下半分に相当する部分が第２係合部を成し、この第２係合部が他方の底板部材１０の矩形支柱１５に係合することで、二つの底板部材１０，１０相互を連結する。また、第２底板連結部材５５（図１０）は、断面がほぼＵ型を成しており、このＵの各腕に相当する部分が第１及び第２突出片部５６，５７を成し、それぞれが隣接する底板部材１０，１０の各側板連結穴１６，１６に嵌まり込んで、２つの底板部材１０，１０を連結する。
【００３１】
歩道形成板６０は、図１１に示すように、正六角形を二等分割した形状で、そのサイズは、底板部材１０の上板１１の１／２である。つまり、２枚の歩道形成板６０，６０を併せたサイズが、底板部材１０の上板１１のサイズである。この歩道形成板６０の裏面には、底板部材１０の側板取付穴１６に嵌まり込む取付具６１が固定されている。
【００３２】
次に、以上で説明したガーデニングキットの各構成部材の利用形態について説明する。
【００３３】
まず、本実施形態のガーデニングキットによる基本的な植木鉢の組立て方について説明する。
【００３４】
図１及び図２に示すように、１つの底板部材１０と、６枚の側板部材２０，２０，…と、６つの第１側板連結部材３０，３０，…を準備し、各側板部材２０の取付突出部２６を、それぞれ底板部材１０の６つの側板取付穴１６，１６，…に差し込む。続いて、各第１側板連結部材３０を用いて、側板部材２０，２０相互を連結する。この際、図６に示すように、隣接する側板部材２０，２０のうち、一方の側板部材２０の側板連結穴２５に、第１側板連結部材３０の第１突出片部３１をはめ込み、他方の側板連結部材２０の側板連結穴２５に、この第１側板連結部材３０の第２突出片部３２をはめ込む。
【００３５】
以上で、基本的な植木鉢は完成する。
【００３６】
この基本的な植木鉢を複数連結する場合には、図１に示すように、第１底板連結部材５０と、第２及び第３側板連結部材３５，４０とを用いる。具体的には、ほぼ組み上がった２つの植木鉢の底板部材１０，１０を第１底板連結部材５０で連結する。この連結で、一方の植木鉢の１つの側板部材２０の外面と他方の植木鉢の１つの側板部材２０の外面とが接し合うことになる。この外面相互が接し合っている２枚の側板部材１０，１０を、図５に示すように、第３側板連結部材４０で連結する。さらに、外面相互が接し合っている２枚の側板部材に隣接している側板部材であって、一方の植木鉢の側板部材と他方の植木鉢の側板部材とを第２側板連結部材３５で連結する。なお、ここでは、先に植木鉢をほぼ組み上げてから、底板部材１０，１０相互を連結しているが、底板部材１０，１０相互を連結してから、これらの底板部材１０に側板部材２０を組み付けてもよい。また、ここでは、２つの植木鉢を連結するにあたり、第１底板連結部材５０と第２及び第３側板連結部材３５，４０とを用いるが、第１底板連結部材５０と第２及び第３側板連結部材３５，４０とのうちの一方の連結部材のみを用いてもよい。
【００３７】
本実施形態では、以上のように複数の植木鉢を二次元的に自由に連結することができるので、各種形状の花壇、各種サイズの花壇を造ることができる。具体的には、図１２に示すような矩形状の花壇、図１３に示すような三角形状の花壇、図１４に示すようなＸ状の花壇、図１５に示すような正六角形状の花壇等を造ることができる。さらに、本実施形態では、図１５の斜線内領域のように、複数の底板部材１０，１０相互を連結した上で、底板部材１０，１０相互間の仕切りとしての側板部材２０を設けなければ、より大きな正六角形の植木鉢を造ることができる。もちろん、図１２や図１３に示す花壇において、内側の底板部材１０に側板部材２０を設けなければ、より大きな矩形状の植木鉢や三角形状の植木鉢も造ることができる。なお、側板部材２０を組み付けないときの底板部材１０，１０相互の連結、つまり、図１５の斜線内領域の底板部材１０，１０相互の連結においては、第１底板連結部材５１を用いてもよいが、図１０に示すように、第２底板連結部材５５を用いた方が、底板部材１０の側板取付穴１６を塞ぐことができるので好ましい。
【００３８】
また、本実施形態では、底板部材１０と歩道形成板６０を用いて、歩道を構成することも可能である。図１１に示すように、まず、取付具６１が固定されている２枚の歩道形成板６０，６０と、底板部材１０とを準備し、歩道形成板６０に固定されている取付具６１を底板部材１０の側板取付穴１６に嵌め込み、底板部材１０上に２枚の歩道形成板６０を取り付ける。このように、歩道形成板６０が取り付けられた複数の底板部材１０，１０相互を、第１底板連結部材５１を用いて連結し、図１に示すように歩道を造る。この歩道は、植木鉢を構成している底板部材１０と歩道を構成している底板部材１０とを連結することにより、植木鉢に隣接さることはもちろん、植木鉢とは独立させて設けることも可能である。なお、本実施形態では、１つの底板部材１０に対して、２枚の歩道形成板６０を取り付けているが、歩道形成板のサイズを変えることにより、三枚以上の歩道形成板を取り付けるようにしてもよい。また、以上とは逆に、１つの底板部材１０に対して一枚の歩道形成板を取り付けるようにしてもよいし、歩道形成板のサイズをより大きくして、複数の底板部材上に一枚の歩道形成板を取り付けるようにしてもよい。
【００３９】
以上のように、本実施形態のガーデニングキットによれば、各種形状の植木鉢、各種サイズの植木鉢、さらには各種形状の花壇、各種サイズの花壇を造ることができる。さらに、庭園内の遊歩道をも造ることができるので、極めて多様な庭園を造ることができる。
【００４０】
また、マンション等の屋上やベランダ等に見られる花壇のように、屋上等の上に、レンガ等を用いて造られた花壇では、排水溝の設置等が必要になるが、本実施形態のガーデニングキットを用いて花壇を造れば、底板部材１０の上板１１の水抜き孔１２から排出された水は、底板部材１０の下板１３上を流れることになるので、特別に排水溝を設置する手間が不要になり、花壇施工の手間を軽減することもできる。
【００４１】
なお、以上の実施形態の底板部材１０は、その形状が正六角形であるが、本発明はこれに限定されるものではなく、丸、三角形、四角形、その他の多角形であってもよい。但し、複数の底板部材を二次元的に連結して、各種形状の花壇を造る場合、複数の底板部材相互間に隙間が生じないようにするために、底板部材の形状は、本実施形態のように、正六角形や、正三角形、正方形、長方形のいずれかであることが好ましい。
【００４２】
また、以上の実施形態の各種側板連結部材３０，３５，４０は、突出片部とフランジ部とが一体形成されたものであるが、突出部とフランジ部とが別体であってもよい。例えば、図７に示すように、第１側板連結部材３０の変形例として、突出部３２ａ，３２ａとアーム部３３とが一体形成され、突出部３２ａ，３２ａにネジ穴が形成されている側板連結片３１ａと、突出部３２ａのネジ穴に捩じ込まれるフランジ付きネジ３４ａとで、第１側板連結部材３０ａを構成してもよい。この場合、突出部３２ａを円柱状に形成する関係で、側板部材２０の側板連結穴は円筒状の貫通孔となる。また、図８に示すように、第３側板連結部材４０の変形例として、ネジ穴が形成されているフランジ付き突出部４１ａと、このネジ穴に捩じ込まれるフランジ付きネジ４４ａとで第３側板連結部材４０ａを構成してもよい。この場合も、突出部４１ａを円柱状に形成する関係で、側板部材２０の側板連結穴２５ａは円筒状の貫通孔となる。
【００４３】
次に、図１６〜図１８を用いて、本発明に係る第二の実施形態としてのガーデニングキットについて説明する。
【００４４】
本実施形態のガーデニングキットは、図１６に示すように、植木鉢の底を形成する上底板部材７０と、植木鉢の側面を形成する側板部材８０と、第一の実施形態と同様の各種側板連結部材３０，３５，４０と、を備えている。
【００４５】
上底板部材７０は、図１７に示すように、正六角形状の底板７１と、正六角形の底板７１の各辺に設けられている側板７２と、底板７１の各辺から放射方向に突出してい側板取付部７３と、を有している。
【００４６】
側板部材８０は、図１８に示すように、矩形板状を成し、その一方の面８２は、植木鉢の外面を形成し、他方の面８３は植木鉢の内面を形成する。矩形状の外面８２の短辺の長さは、正六角形状の底板部材７０の一辺の長さと一致している。また、側板部材８０の内面８３に対する側面８４の角度は、正六角形の内角の角度である１２０°になっている。側板部材８０の上面及び下面には、向かい合っている面側へ切り込まれた側板連結穴８５，８５が形成されている。この側板連結穴８５，８５は、側板部材８０の上面及び仮面であって、その左右に各々形成されている。また、この側板部材８０は、内面８３から外面８２へ貫通し、上底板部材７０の側板取付部７３が嵌まり込む複数の上底支持孔８６，８６，８６が形成されている。複数の上底支持孔８６，８６，８６は、上下方向に並んでいる。
【００４７】
次に、以上で説明したガーデニングキットの各構成部材の利用形態について説明する。
【００４８】
まず、本実施形態のガーデニングキットによる基本的な植木鉢の組立て方について説明する。
【００４９】
図１６に示すように、１つの上底板部材７０と、６枚の側板部材８０，８０，…と、１２つの第１側板連結部材３０，３０，…を準備し、各側板部材８０の上底支持部８６に上底部材７０の各側板取付部７３を差し込むことで、各側板部材８０を上底板部材７０に取り付ける。この際、各側板部材８０の複数の上底支持部８６のうち、同一レベルの上底支持部８６に、上底板部材７０の各側板取付部７３を差し込む。続いて、各第１側板連結部材３０を用いて、第一の実施形態と同様に、側板部材８０，８０の上部相互、及び側板部材８０，８０の下部相互を連結する。
【００５０】
以上で、基本的な植木鉢は完成する。
【００５１】
この基本的な植木鉢を複数連結する場合には、第一の実施形態のように、第２及び第３側板連結部材３５，４０を用いる。具体的には、ほぼ組み上がった２つの植木鉢の側面部材８０，８０相互を第２及び第３側板連結部材３５，４０を用いて連結する。この連結では、外面相互が接し合っている一方の植木鉢の側板部材８０と他方の植木鉢の側板部材８０とを第３側板連結部材４０で連結し、さらに、外面相互が接し合っている２枚の側板部材に隣接している側板部材であって、一方の植木鉢の側板部材８０と他方の植木鉢の側板部材８０とを第２側板連結部材３５で連結する。
【００５２】
本実施形態でも、以上のように複数の植木鉢を連結することができるので、各種形状の花壇、各種サイズの花壇を造ることができる。
【００５３】
また、本実施形態では、側板部材８０に、上下方向に並んだ複数の上底支持部８６，８６，８６が形成されているので、上底板部材７０のレベルを容易に変えることができる。なお、第一の実施形態においても、本実施形態と同様に、側板部材２０に複数の上底支持部を形成し、底板部材１０の他に、別途、上底部材を準備し、植木鉢の底のレベルを変えられるようにしてもよい。
【図面の簡単な説明】
【００５４】
【図１】本発明に係る第一の実施形態におけるガーデニングキットを用いて造った花壇の斜視図である。
【図２】本発明に係る第一の実施形態における植木鉢を示す図で、同図（ａ）は植木鉢の平面図、同図（ｂ）は植木鉢の側面図、同図（ｃ）は同図（ａ）におけるＣ-Ｃ断面図である。
【図３】本発明に係る第一の実施形態における底板部材を示す図で、同図（ａ）は底板部材の平面図、同図（ｂ）は同図（ａ）におけるＢ矢視図、同図（ｃ）は同図（ａ）におけるＣ矢視図、同図（ｄ）は同図（ａ）におけるＤ-Ｄ断面図である。
【図４】本発明に係る第一の実施形態における側板部材を示す図で、同図（ａ）は側板部材の平面図、同図（ｂ）は側板部材の正面図、同図（ｃ）は側板部材の側面図である。
【図５】本発明に係る第一の実施形態における第２及び第３側板連結部材の斜視図である。
【図６】本発明に係る第一の実施形態における第１側板連結部材の斜視図である。
【図７】本発明に係る第一の実施形態における変形例としての第１側板連結部材の斜視図である。
【図８】本発明に係る第一の実施形態における変形例としての第３側板連結部材の斜視図である。
【図９】本発明に係る第一の実施形態における第１底板連結部材及び底板部材の斜視図である。
【図１０】本発明に係る第一の実施形態における第２底板連結部材及び底板部材の斜視図である。
【図１１】本発明に係る第一の実施形態における歩道形成板及び底板部材の斜視図である。
【図１２】本発明に係る第一の実施形態における花壇の平面図（その１）である。
【図１３】本発明に係る第一の実施形態における花壇の平面図（その２）である。
【図１４】本発明に係る第一の実施形態における花壇の平面図（その３）である。
【図１５】本発明に係る第一の実施形態における花壇の平面図（その４）である。
【図１６】本発明に係る第二の実施形態におけるガーデニングキットを用いて造った植木鉢を示す図で、同図（ａ）は植木鉢の平面図、同図（ｂ）は植木鉢の側面図、同図（ｃ）は同図（ａ）におけるＣ-Ｃ断面図である。
【図１７】本発明に係る第二の実施形態における上底板部材を示す図で、同図（ａ）は上底板部材の平面図、同図（ｂ）は上底板部材の側面図である。
【図１８】本発明に係る第二の実施形態における側面部材を示す図で、同図（ａ）は側面部材の平面図、同図（ｂ）は側面部材の正面図、同図（ｃ）は側面部材の側面図である。
【符号の説明】
【００５５】
１０：底板部材、１１：上板、１２：水抜き孔、１３：下板、１５：矩形支柱、１６：側板取付穴、２０，８０：側板部材、２１：側板本体、２２，８２：外面、２３，８３：内面、２５，８５：側板連結穴、２６：取付突出部、３０：第１側板連結部材、３５：第２側板連結部材、４０：第３側板連結部材、５０：第１底板連結部材、５５：第２底板連結部材、６０：歩道形成板、６１：取付具、７０：上底板部材、７３：側板取付部、８６：上底支持穴
【図１】
2005137313.tif 000003
【図２】
2005137313.tif 000004
【図３】
2005137313.tif 000005
【図４】
2005137313.tif 000006
【図５】
2005137313.tif 000007
【図６】
2005137313.tif 000008
【図７】
2005137313.tif 000009
【図８】
2005137313.tif 000010
【図９】
2005137313.tif 000011
【図１０】
2005137313.tif 000012
【図１１】
2005137313.tif 000013
【図１２】
2005137313.tif 000014
【図１３】
2005137313.tif 000015
【図１４】
2005137313.tif 000016
【図１５】
2005137313.tif 000017
【図１６】
2005137313.tif 000018
【図１７】
2005137313.tif 000019
【図１８】
2005137313.tif 000020